(57)【要約】【課題】スキャナで読み取った画像が、何らかの原因で薄かったりした場合でも、文字の場合、黒文字として認識し黒く鮮明に印字でき、文字でないオブジェクトに対しては、薄い黒の場合薄い黒として印字できることを目的とする。【解決手段】画像を読み取る手段と、前記画像を読み取る手段で読み取った画像内のオブジェクトの種類を認識する手段と、前記オブジェクトの種類を認識する手段によって認識されたオブジェクト毎に前記オブジェクトの色を判断する時の色値の閾値を変更する手段から構成される。【選択図】        図１
2006085568.tif 000002
【特許請求の範囲】
【請求項１】
画像を読み取る手段と、前記画像を読み取る手段で読み取った画像内のオブジェクトの種類を認識する手段と、前記オブジェクトの種類を認識する手段によって認識されたオブジェクトの種類毎に前記オブジェクトの色を判断する時の色値の閾値を変更する手段から構成されることを特徴とする画像処理装置。
【請求項２】
画像を読み取る手段と、前記画像を読み取る手段で読み取った画像内の文字を認識する手段と、前記文字を認識する手段で文字と認識された場合には、色値の閾値を白側に移動して文字の色が黒かを判断する手段から構成されることを特徴とする画像処理装置。
【請求項３】
画像を読み取る手段と、前記画像を読み取る手段で読み取った画像内の文字を認識する手段と、前記文字を認識する手段で文字と認識された場合には、色値の閾値を白側に移動して文字の色が黒かを判断する手段と、前記文字を認識する手段と前記文字の色が黒かを判断する手段によって、黒い文字として認識されたオブジェクトは、黒インキ１色で印字することを特徴とする画像処理装置。
【請求項４】
画像を読み取る手段と、前記画像を読み取る手段で読み取った画像内のオブジェクトの種類を認識する手段と、前記オブジェクトの種類を認識する手段によって認識されたオブジェクトの種類毎に異なるＬＵＴ（ルックアップテーブル）を使用して色変換することを特徴とする画像処理装置。
【発明の詳細な説明】
【技術分野】
【０００１】
本発明は、画像処理装置に関するものである。
【背景技術】
【０００２】
スキャナで読み込んだ画像を印字する場合に、文字を鮮明に印字する為に、黒白を判別して、黒と判断された場合には、インクを黒１色で印字し、白と判断された場合には、印字しない様にして、文字を鮮明に印字する技術が考案されている（特許文献１参照）。
【特許文献１】特開平０７−２０３１９８号公報
【発明の開示】
【発明が解決しようとする課題】
【０００３】
しかしながら、黒を判断する場合に、閾値を黒側に設定するとスキャナで読み取った画像が、何らかの原因で薄かったりした場合に黒と認識されない場合があった。又、閾値を白側に設定すると、イメージ画像等の完全な黒で無い画像を完全な黒として印字してしまうという問題が有った。
【０００４】
本発明は、以上の点に着目して成されたもので、スキャナで読み取った画像が、何らかの原因で薄かったりした場合でも、文字の場合、黒文字として認識し黒く鮮明に印字でき、文字でないオブジェクトに対しては、薄い黒の場合薄い黒として印字できる画像処理装置を提供することを目的とする。
【課題を解決するための手段】
【０００５】
上記問題に鑑みて、本発明は、画像を読み取る手段と、前記画像を読み取る手段で読み取った画像内のオブジェクトの種類を認識する手段と、前記オブジェクトの種類を認識する手段によって認識されたオブジェクト毎に前記オブジェクトの色を判断する時の色値の閾値を変更する手段から構成される。
【発明の効果】
【０００６】
本発明によれば、文字と認識されたオブジェクトに対しては、黒と判断する色値の閾値を白側に移動することによって、スキャナで読み取った画像が、何らかの原因で薄かったりした場合でも、黒文字として認識され鮮明に印字できるという効果を有する。又、文字と認識されなかったオブジェクトに対しては、黒と判断する色値の閾値を黒側に移動することによって、薄い黒のイメージ画像も薄い黒として印字できるという効果を有する。
【発明を実施するための最良の形態】
【０００７】
以下本発明を実施するための最良の形態を、実施例により詳しく説明する。
【実施例】
【０００８】
図１は、本発明の第１の実施例のブロック図である。１は画像データをＲＧＢ毎に記憶するＲＧＢ画像バッファで、２は画像データをＣＭＹＫ毎に記憶されたＣＭＹＫ画像バッファで、３は原稿を読み取るところの画像読み取り部で、４は入力信号をＡ／Ｄ変換するところのＡ／Ｄ変換部で、５は文字認識を行うところの文字認識部で、６は黒色を判定するところの黒色判定部で、７はＲＧＢの画像データをＣＭＹＫに変換するところのＲＧＢ→ＣＭＹＫ変換部で、８は印字するところの印字部で、９は文字の標準パターンが記憶されているところの文字パターン辞書部で、１０は色判定で用いる色値の閾値を設定するところの色値閾値設定部である。
【０００９】
次に図１の動作説明を行う。まず、画像読み取り部３より原稿が読み出される。通常、これには、ＣＣＤ或いはＣＭＯＳイメージセンサー等が用いられる。読み取られた画像データは、光の３原色のＲＧＢのアナログ信号で出力される。これをＡ／Ｄ変換部４でデジタル信号に変換され、ＲＧＢ画像バッファ１にＲＧＢ毎に記憶される。原稿の画像データのバッファリングが終了すると、文字認識部５においてＲＧＢ画像バッファに蓄えられた画像データと文字パターン辞書部９に蓄えられた標準文字パターンとのマッチングが行われ、文字と認識された場合には、予め決められた文字オブジェクト用の色値閾値を色値閾値設定部１０に設定する。次に黒色判定部６において、文字認識部５において文字と認識されたオブジェクトのＲＧＢ画像バッファのエリアの色値と色値閾値設定部１０で設定された閾値と比較することによって、黒色か否かの判定がなされる。ここで黒色と判定された場合には、ＲＧＢ→ＣＭＹＫ変換部７でＲＧＢデータからＫデータへ変換される。この場合Ｃ＝Ｍ＝Ｙ＝０となる。変換されたデータは、ＣＭＹＫ画像バッファに蓄えられる。黒色と判定されない場合には、ＣＭＹＫデータに変換される。同様にＣＭＹＫ画像バッファ２に記憶される。文字認識部５で、文字と認識されなかった場合には、色値閾値設定部１０に予め決められた文字オブジェクト以外の色値閾値を設定する。以降の処理は、文字オブジェクトの場合と同様である。次に印字部８で、ＣＭＹＫバッファに蓄えられた画像データを印字する。
【００１０】
［他の実施例］
図２は、本発明の第２の実施例のブロック図である。１１は画像データをＲＧＢ毎に記憶するＲＧＢ画像バッファで、１２は原稿を読み取るところの画像読み取り部で、１３は入力信号をＡ／Ｄ変換するところのＡ／Ｄ変換部で、１４はオブジェクト種を判定するところのオブジェクト判定部で、１５は色を変換するところの色変換部で、１６は色変換がなされた後の画像データをＲＧＢ毎に記憶するところのＲＧＢ画像バッファで、１７は文字の標準パターンが記憶されているところの文字パターン辞書部で、１８はグラフィックの標準パターンが記憶されているところのグラフィックパターン辞書部で、１９は色変換で用いるＬＵＴを選択するところのＬＵＴ選択部である。
【００１１】
次に図２の動作説明を行う。まず、画像読み取り部１２において原稿が読み取られる。通常、これには、ＣＣＤ或いはＣＭＯＳイメージセンサー等が用いられる。読み取られた画像データは、光の３原色のＲＧＢのアナログ信号で出力される。これをＡ／Ｄ変換部１３でデジタル信号に変換され、ＲＧＢ画像バッファ１１にＲＧＢ毎に記憶される。原稿のバッファリングが終了すると、オブジェクト判定部１４において画像のオブジェクト判定がなされる。オブジェクト判定部１４においてＲＧＢ画像バッファに蓄えられた画像データと文字パターン辞書部１７に蓄えられた標準文字パターンとのマッチングが行われ、文字と認識された場合には、文字オブジェクト用のＬＵＴがＬＵＴ選択部１９に設定される。文字と認識されない場合は、グラフィックパターン辞書部１８に蓄えられた標準グラフィックパターンとのマッチングが行われ、グラフィックと認識された場合には、グラフィックオブジェクト用のＬＵＴがＬＵＴ選択部１９に設定される。グラフィックと認識されない場合は、イメージオブジェクトと判定される。その場合は、イメージオブジェクト用のＬＵＴがＬＵＴ選択部１９に設定される。ＬＵＴ選択部１９においてＬＵＴの選択が終了すると、色変換部１５において、ＬＵＴ選択部１９において選択されたＬＵＴに基づいて色変換がなされる。色変換が終了したオブジェクトの画像データは、ＲＧＢ画像バッファ１６に記憶される。色変換部１５において色変換が終了するとオブジェクト判定部１４は同様に次のオブジェクトのオブジェクト種判定処理を開始する。以上を繰り返して、すべてのオブジェクトに対して色変換を行い、ＲＧＢ画像バッファ１６に色変換された画像データが記憶される。
【図面の簡単な説明】
【００１２】
【図１】第１の実施例のブロック図
【図２】第２の実施例のブロック図
【符号の説明】
【００１３】
１  ＲＧＢ画像バッファ
２  ＣＭＹＫ画像バッファ
３  画像読み取り部
４  Ａ／Ｄ変換部
５  文字認識部
６  黒色判定部
７  ＲＧＢ→ＣＭＹＫ変換部
８  印字部
９  文字パターン辞書部
１０  色値閾値設定部
１１  ＲＧＢ画像バッファ
１２  画像読み取り部
１３  Ａ／Ｄ変換部
１４  オブジェクト判定部
１５  色変換部
１６  ＲＧＢ画像バッファ
１７  文字パターン辞書部
１８  グラフィックパターン辞書部
１９  ＬＵＴ選択部
【図１】
2006085568.tif 000003
【図２】
2006085568.tif 000004